【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】
複数枚の記録材を積層保持する記録材保持部と、
前記記録材保持部に保持された前記記録材を順次給送する給送機構と、
前記給送機構により順次給送される前記記録材に画像を形成する画像形成部と、
前記記録材種毎に、当該記録材種に対する前記画像の形成に際しての前記給送機構および前記画像形成部の動作条件を特定する動作モードを対応づけて記憶するモードファイルを有する記憶装置と、
前記記録材保持部に積層保持される前記記録材のうち少なくとも次に給送される前記記録材種を判別する記録材種判別手段と、
前記モードファイルを参照して、前記記録材種判別手段が判別した前記記録材種に対応する前記動作モードが設定されているか否かを判断するモード判断手段と、
前記モード判断手段が前記記録材種判別手段が判別した前記記録材種に対応する前記動作モードが設定されていないと判断した場合に、当該記録材種に対応する前記動作モードを設定する動作モード設定手段と、
前記動作モード設定手段による前記動作モードの設定が完了したか否かを判断する完了判断手段と、
前記モード判断手段が前記記録材種判別手段が判別した前記記録材種に対応する前記動作モードが設定されていると判断した場合、または、前記完了判断手段が前記動作モードの設定が完了したと判断した場合に、前記給送機構および前記画像形成部を駆動して当該記録材に対する前記画像の形成を行う画像形成手段と、を備える画像形成装置。
【請求項２】
前記給送機構は、前記記録材保持部に積層保持された前記記録材を送り出すピックアップコロを有しており、
前記記録材種判別手段は、前記ピックアップコロの上方に配設されて前記記録材保持部の最上位に積層された前記記録材に応じて出力が変化する反射型光センサと、この反射型光センサの出力変化に基づいて前記記録材種を判別する判別部とから構成されている請求項１記載の画像形成装置。
【請求項３】
前記記録材保持部は、積層保持される前記記録材の移動を規制する規制部材を有しており、
前記記録材種判別手段は、前記規制部材に配設されて前記記録材保持部の最上位に積層された前記記録材に応じて出力が変化する反射型光センサと、この反射型光センサの出力変化に基づいて前記記録材種を判別する判別部とから構成されている請求項１記載の画像形成装置。
【請求項４】
前記モードファイルは、前記動作モードとして、普通紙に対する前記画像の形成に際しての前記給紙機構および前記画像形成部の前記動作条件を特定する普通紙モードと、ＯＨＰ用紙に対する前記画像の形成に際しての前記給紙機構および前記画像形成部の前記動作条件を特定するＯＨＰモードとを記憶する請求項１、２または３記載の画像形成装置。
【請求項５】
原稿の画像を読み取る画像読取装置と、
前記画像読取装置で読み取った前記画像を記録材に形成する請求項１、２、３または４記載の画像形成装置と、を備える複写機。
【手続補正２】
【補正対象書類名】明細書
【補正対象項目名】００１３
【補正方法】変更
【補正の内容】
【００１３】
【課題を解決するための手段】
請求項１記載の発明の画像形成装置は、複数枚の記録材を積層保持する記録材保持部と、前記記録材保持部に保持された前記記録材を順次給送する給送機構と、前記給送機構により順次給送される前記記録材に画像を形成する画像形成部と、前記記録材種毎に、当該記録材種に対する前記画像の形成に際しての前記給送機構および前記画像形成部の動作条件を特定する動作モードを対応づけて記憶するモードファイルを有する記憶装置と、前記記録材保持部に積層保持される前記記録材のうち少なくとも次に給送される前記記録材種を判別する記録材種判別手段と、前記モードファイルを参照して、前記記録材種判別手段が判別した前記記録材種に対応する前記動作モードが設定されているか否かを判断するモード判断手段と、前記モード判断手段が前記記録材種判別手段が判別した前記記録材種に対応する前記動作モードが設定されていないと判断した場合に、当該記録材種に対応する前記動作モードを設定する動作モード設定手段と、前記動作モード設定手段による前記動作モードの設定が完了したか否かを判断する完了判断手段と、前記モード判断手段が前記記録材種判別手段が判別した前記記録材種に対応する前記動作モードが設定されていると判断した場合、または、前記完了判断手段が前記動作モードの設定が完了したと判断した場合に、前記給送機構および前記画像形成部を駆動して当該記録材に対する前記画像の形成を行う画像形成手段と、を備える。
【手続補正３】
【補正対象書類名】明細書
【補正対象項目名】００１４
【補正方法】変更
【補正の内容】
【００１４】
したがって、モード判断手段によって、モードファイルが参照されて、記録材種判別手段により判別された記録材種に対応する動作モードが設定されていないと判断された場合には、動作モード設定手段によって当該記録材種に対応する動作モードが設定される。モード判断手段によって、モードファイルが参照されて、記録材種判別手段により判別された記録材種に対応する動作モードが設定されていると判断された場合、または、完了判断手段によって動作モードの設定が完了したと判断された場合には、画像形成手段によって給送機構および画像形成部が駆動されて当該記録材に対する画像の形成が行われる。これによって、使用する記録材種に適した動作モードが設定されている場合にのみ画像を形成することが可能になる。
【手続補正４】
【補正対象書類名】明細書
【補正対象項目名】００２１
【補正方法】変更
【補正の内容】
【００２１】
請求項４記載の発明は、請求項１、２または３記載の画像形成装置において、前記モードファイルは、前記動作モードとして、普通紙に対する前記画像の形成に際しての前記給紙機構および前記画像形成部の前記動作条件を特定する普通紙モードと、ＯＨＰ用紙に対する前記画像の形成に際しての前記給紙機構および前記画像形成部の前記動作条件を特定するＯＨＰモードとを記憶する。
【手続補正５】
【補正対象書類名】明細書
【補正対象項目名】００８３
【補正方法】変更
【補正の内容】
【００８３】
【発明の効果】
請求項１記載の発明の画像形成装置によれば、モード判断手段が、モードファイルを参照して、記録材種判別手段が判別した記録材種に対応する動作モードが設定されていないと判断した場合には、動作モード設定手段によって当該記録材種に対応する動作モードを設定し、モード判断手段が、モードファイルを参照して、記録材種判別手段が判別した記録材種に対応する動作モードが設定されていると判断した場合、または、完了判断手段が動作モードの設定が完了したと判断した場合には、画像形成手段が給送機構および画像形成部を駆動して当該記録材に対する前記画像の形成を行うことにより、使用する記録材種に適した動作モードが設定されている場合にのみ画像を形成することが可能になるので、不要な待機時間をなくし、記録材種毎に適した画像を形成することができる。
【手続補正６】
【補正対象書類名】明細書
【補正対象項目名】００８５
【補正方法】変更
【補正の内容】
【００８５】
さらに、記録材保持部で記録材種を判別することにより、記録材の給送を開始する前に動作モードの判断を行うことが可能になるので、記録材種の判別のために画像形成部での画像の形成を待機する必要がなく、不要な待機時間を削減することができる。